【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
光束を偏向して被走査面を主走査方向に走査する偏向器と、該偏向器からの光束を前記被走査面に導く結像光学系と、前記偏向器からの光束のうち前記被走査面における有効画像域に入射しない光束を反射する反射部材と、を備える光走査装置であって、
前記反射部材は、前記偏向器からの光束を反射する反射面と、主走査方向に沿った第１端面と、副走査方向に沿った第２端面と、を含み、
前記第２端面は、前記第１端面よりも高い耐腐食性を有することを特徴とする光走査装置。
【請求項２】
前記第１端面は、前記反射面に反射膜が形成された後に切断されたままの面であり、前記第２端面は、前記反射面に前記反射膜が形成される前に切断されたままの面であることを特徴とする請求項１に記載の光走査装置。
【請求項３】
前記反射面には反射膜が形成されており、前記第１端面には前記反射膜が形成されておらず、前記第２端面には前記反射膜が形成されていることを特徴とする請求項１又は２に記載の光走査装置。
【請求項４】
前記反射面には反射膜が形成されており、前記第１端面には前記反射膜が形成されておらず、前記第２端面には腐食防止材が塗布されていることを特徴とする請求項１又は２に記載の光走査装置。
【請求項５】
前記反射面の主走査方向に沿った長さは、前記反射面の副走査方向に沿った長さよりも長いことを特徴とする請求項１乃至４のいずれか１項に記載の光走査装置。
【請求項６】
前記反射部材により反射された光束を受光する受光素子を有することを特徴とする請求項１乃至５のいずれか１項に記載の光走査装置。
【請求項７】
前記受光素子からの出力に基づいて、前記偏向器に入射する光束の同期検知を行うことを特徴とする請求項６に記載の光走査装置。
【請求項８】
前記偏向器からの光束のうち前記被走査面における有効画像域に入射しない光束は、前記反射部材における前記反射面及び前記第２端面を通過することを特徴とする請求項１乃至７のいずれか１項に記載の光走査装置。
【請求項９】
請求項１乃至８のいずれか１項に記載の光走査装置と、該光走査装置により前記被走査面に形成された静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項１０】
請求項１乃至８のいずれか１項に記載の光走査装置と、外部機器から出力されたコードデータを画像信号に変換して前記光走査装置に入力するプリンタコントローラと、を備えることを特徴とする画像形成装置。
【請求項１１】
光束を偏向して被走査面を主走査方向に走査する偏向器と、該偏向器からの光束を前記被走査面に導く結像光学系と、前記偏向器からの光束のうち前記被走査面における有効画像域に入射しない光束を反射する反射部材と、を備える光走査装置の製造方法であって、
光学基板に反射膜を塗布して反射面を形成する第１の工程と、
前記反射面が形成された前記光学基板を切断して主走査方向に沿った第１端面を形成し、前記反射部材を得る第２の工程と、
を有することを特徴とする光走査装置の製造方法。
【請求項１２】
前記第１の工程の前に、前記光学基板を切断して副走査方向に沿った第２端面を形成する工程を有することを特徴とする請求項１１に記載の光走査装置の製造方法。
【請求項１３】
前記第１の工程の後に、前記光学基板を切断して副走査方向に沿った第２端面を形成する工程を有することを特徴とする請求項１１に記載の光走査装置の製造方法。
【請求項１４】
前記第２端面に腐食防止剤を塗布する工程を有することを特徴とする請求項１３に記載の光走査装置の製造方法。
【請求項１５】
前記第２の工程では、前記反射部材における前記反射面の副走査方向に沿った長さをＬ２（ｍｍ）、前記第２端面の副走査方向に沿った長さをＬ３（ｍｍ）、整数をＮ、とするとき、
Ｌ３＝Ｌ２×Ｎ＋α
α（ｍｍ）＜Ｌ２
なる条件を満足するように、前記光学基板を切断することを特徴とする請求項１２乃至１４のいずれか１項に記載の光走査装置の製造方法。
【請求項１６】
前記第２の工程では、前記反射面が形成された前記光学基板に主走査方向に沿った傷を付け、該傷の両側に応力をかけることにより前記光学基板を切断することを特徴とする請求項１１乃至１５のいずれか１項に記載の光走査装置の製造方法。
【請求項１７】
前記第２の工程では、前記反射部材における前記反射面の主走査方向に沿った長さが、前記反射部材における前記反射面の副走査方向に沿った長さよりも長くなるように、前記光学基板を切断することを特徴とする請求項１１乃至１６のいずれか１項に記載の光走査装置の製造方法。
【請求項１８】
前記反射部材の端面に糸面取りを施す工程を更に有することを特徴とする請求項１１乃至１７のいずれか１項に記載の光走査装置の製造方法。
【手続補正２】
【補正対象書類名】明細書
【補正対象項目名】発明の名称
【補正方法】変更
【補正の内容】
【発明の名称】光走査装置、画像形成装置、及び光走査装置の製造方法
【手続補正３】
【補正対象書類名】明細書
【補正対象項目名】０００１
【補正方法】変更
【補正の内容】
【０００１】
本発明は光走査装置、画像形成装置、及び光走査装置の製造方法に関し、電子写真プロセスを有するレーザービームプリンタ（ＬＢＰ）やデジタル複写機やマルチファンクションプリンタ（多機能プリンタ）の画像形成装置に好適なものである。
【手続補正４】
【補正対象書類名】明細書
【補正対象項目名】００１３
【補正方法】変更
【補正の内容】
【００１３】
本発明の目的は、反射部材の小型化と耐久性向上を両立し、かつ、コスト低減を実現する光走査装置、画像形成装置、及び光走査装置の製造方法を提供することにある。
【手続補正５】
【補正対象書類名】明細書
【補正対象項目名】００１４
【補正方法】変更
【補正の内容】
【００１４】
上記目的を達成するために、本発明に係る光走査装置は、光束を偏向して被走査面を主走査方向に走査する偏向器と、該偏向器からの光束を前記被走査面に導く結像光学系と、前記偏向器からの光束のうち前記被走査面における有効画像域に入射しない光束を反射する反射部材と、を備える光走査装置であって、前記反射部材は、前記偏向器からの光束を反射する反射面と、主走査方向に沿った第１端面と、副走査方向に沿った第２端面と、を含み、前記第２端面は、前記第１端面よりも高い耐腐食性を有することを特徴とする。また、本発明に係る画像形成装置は、上記光走査装置を備えることを特徴とする。
【手続補正６】
【補正対象書類名】明細書
【補正対象項目名】００１５
【補正方法】変更
【補正の内容】
【００１５】
また、本発明に係る光走査装置の製造方法は、光束を偏向して被走査面を主走査方向に走査する偏向器と、該偏向器からの光束を前記被走査面に導く結像光学系と、前記偏向器からの光束のうち前記被走査面における有効画像域に入射しない光束を反射する反射部材と、を備える光走査装置の製造方法であって、光学基板に反射膜を塗布して反射面を形成する第１の工程と、前記反射面が形成された前記光学基板を切断して主走査方向に沿った第１端面を形成し、前記反射部材を得る第２の工程と、を有することを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明によれば、反射部材の小型化と耐久性向上を両立し、かつ、コスト低減を実現する光走査装置、画像形成装置、及び光走査装置の製造方法を提供できる。
【手続補正９】
【補正対象書類名】明細書
【補正対象項目名】００２０
【補正方法】変更
【補正の内容】
【００２０】
《第１の実施形態》
（画像形成装置）
図４は、本発明の実施形態に係る走査光学装置を搭載した画像形成装置の概略構成図である。本画像形成装置は、光走査装置４個を各々並行に並べ、像担持体である感光ドラム面上に画像情報を記録するタンデムタイプのカラー画像形成装置である。図４において、６０はカラー画像形成装置、１６１、１６２、１６３、１６４は各々光走査装置、７１、７２、７３、７４は各々像担持体としての感光ドラム、３１、３２、３３、３４は各々現像器、１５１は搬送ベルトである。
【手続補正１０】
【補正対象書類名】明細書
【補正対象項目名】００２２
【補正方法】変更
【補正の内容】
【００２２】
図４において、カラー画像形成装置６０には、パーソナルコンピュータ等の外部機器１５２からＲ（レッド）、Ｇ（グリーン）、Ｂ（ブルー）の各色信号が入力する。これらの色信号は、装置内のプリンタコントローラ５３によって、コードデータがＣ（シアン）、Ｍ（マゼンタ）、Ｙ（イエロー）、Ｂ（ブラック）の各画像データ（ドットデータ）に変換される。
【手続補正１１】
【補正対象書類名】明細書
【補正対象項目名】００２３
【補正方法】変更
【補正の内容】
【００２３】
これらの画像データは、それぞれ光走査装置１６１、１６２、１６３、１６４に入力される。そして、これらの光走査装置からは、各画像データに応じて変調された光ビーム４１、４２、４３、４４が射出され、これらの光ビームによって感光ドラム７１、７２、７３、７４の感光面が主走査方向に走査される。
【手続補正１２】
【補正対象書類名】明細書
【補正対象項目名】００２４
【補正方法】変更
【補正の内容】
【００２４】
本実施形態におけるカラー画像形成装置は、光走査装置（１６１、１６２、１６３、１６４）を４個並べ、各々がＣ（シアン）、Ｍ（マゼンタ）、Ｙ（イエロー）、Ｂ（ブラック）の各色に対応している。そして、各々平行して感光ドラム７１、７２、７３、７４面上に画像信号（画像情報）を記録し、カラー画像を高速に印字するものである。
【手続補正１３】
【補正対象書類名】明細書
【補正対象項目名】００２５
【補正方法】変更
【補正の内容】
【００２５】
本実施形態におけるカラー画像形成装置は、上述の如く４つの光走査装置１６１、１６２、１６３、１６４により、各々の画像データに基づいた光ビームを用いて各色の潜像を各々対応する感光ドラム７１、７２、７３、７４面上に形成している。そして、その後、記録材に多重転写して１枚のフルカラー画像を形成している。
【手続補正１４】
【補正対象書類名】明細書
【補正対象項目名】００２６
【補正方法】変更
【補正の内容】
【００２６】
なお、外部機器１５２としては、例えばＣＣＤセンサを備えたカラー画像読取装置が用いられても良い。この場合には、このカラー画像読取装置と、カラー画像形成装置６０とで、カラーデジタル複写機が構成される。
【手続補正１５】
【補正対象書類名】明細書
【補正対象項目名】００２７
【補正方法】変更
【補正の内容】
【００２７】
（走査光学装置）
図１（ａ）は本発明の実施形態に係る走査光学装置（光走査装置）の主走査配置図である。図中、１はレーザ光源、２は集光素子、３はシリンダーレンズ、４は絞り、５は偏向器としてのポリゴンミラー、６は第１結像レンズ６１と第２結像レンズ６２からなる結像レンズ系、７はカバーガラス、８は被走査面（感光体）である。なお、コリメータレンズ２と、シリンダーレンズ３と、絞り４は、偏向器前光学系もしくは入射光学系と呼ばれる。
【手続補正１６】
【補正対象書類名】図面
【補正対象項目名】図４
【補正方法】変更
【補正の内容】
【図４】
2014115515.tif 000001